(57)【要約】【課題】アコースティックドラムの打撃音を低減させつつ、アコースティックドラム特有の音色を残存させることができるドラム用消音具を提供すること。【解決手段】打撃による衝撃を緩衝する被打撃体１０が吸盤部材２０を介してドラムヘッド２に連結されているので、ドラムヘッド２の振動に伴って発生する音色の音量を抑制しつつも、打面部３０への打撃に伴う衝突音を低減させることができる。よって、バスドラム１特有の音色を引き立たせることができ、ドラムヘッド２を直接打撃した際に発生する音色に近似した音を主として発生させることができる。【選択図】図１
2015068851.tif 000002
【特許請求の範囲】
【請求項１】
アコースティックドラムに取り付けられ、前記アコースティックドラムのドラムヘッドの代わりに打撃されることによって演奏時に発生する音を低減させるドラム用消音具において、
演奏者に打撃されると共に所定の弾性を有する打面部、及び、その打面部の周縁部分を支持すると共に前記打面部よりも剛性が高く設定された環状の枠部を有する被打撃体と、その被打撃体の枠部に取着されると共に前記被打撃体を前記ドラムヘッドに吸着させる吸盤部材とを備えることを特徴とするドラム用消音具。
【請求項２】
前記吸盤部材は、前記枠部の周方向に少なくとも３個以上配設されていることを特徴とする請求項１のドラム用消音具。
【請求項３】
前記被打撃体は、前記枠部が樹脂材料から構成されていることを特徴とする請求項１又は２に記載のドラム用消音具。
【請求項４】
前記打面部は、網状素材から構成されていることを特徴とする請求項１から３のいずれかに記載のドラム用消音具。
【請求項５】
前記被打撃体は、前記枠部を構成する樹脂材料に前記打面部をインサート成形することにより、前記打面部の周縁部分に前記枠部が固着されていることを特徴とする請求項４記載のドラム用消音具。
【請求項６】
前記打面部は、前記枠部に対して張力が付与された状態で固定されていることを特徴とする請求項５記載のドラム用消音具。
【請求項７】
前記被打撃体は、前記打面部よりも厚さ寸法が大きな弾性材料から構成される緩衝体が前記打面部に取り付けられていることを特徴とする請求項４から６のいずれかに記載のドラム用消音具。
【請求項８】
前記吸盤部材は、弾性材料から構成される弾性部材を介して前記枠部に連結されていることを特徴とする請求項１から７のいずれかに記載のドラム用消音具。
【発明の詳細な説明】
【技術分野】
【０００１】
本発明は、ドラム用消音具に関し、特に、打撃音を低減させつつ、アコースティックドラム特有の音色を残存させることができるドラム用消音具に関するものである。
【背景技術】
【０００２】
大音量での演奏を回避する必要がある環境下において、演奏時に発生する音量を低減させるドラム用消音具が知られている。このドラム用消音具としては、例えば、バスドラムのドラムヘッドに密着させた状態でフープに固定した消音パッドをビータで打撃することによって、その打撃に伴って発生するドラムヘッドの振動を早期に減衰させて打撃音を低減させるものが知られている（特許文献１）。
【先行技術文献】
【特許文献】
【０００３】
【特許文献１】米国特許出願公開第２００８／０２６４２３３号明細書（図１など）
【発明の概要】
【発明が解決しようとする課題】
【０００４】
しかしながら、上述した従来のドラム用消音具では、フープに固定した消音パッドをドラムヘッドに密着させてドラムヘッドの振動を早期に減衰させることにより、打撃音の低減を図っている。この場合、ドラムヘッドの自由な振動が妨げられることで、アコースティックドラム特有の音色が損なわれるため、消音パッドを打撃した際に発生する音色が、ドラムヘッドを直接打撃した際に発生する音色と大きく異なるという問題点があった。
【０００５】
本発明は、上述した問題点を解決するためになされたものであり、打撃音を低減させつつ、アコースティックドラム特有の音色を残存させることができるドラム用消音具を提供することを目的としている。
【課題を解決するための手段および発明の効果】
【０００６】
請求項１記載のドラム用消音具によれば、被打撃体は、枠部に支持される打面部が所定の弾性を有しているので、ビータやスティック等で打面部を打撃することにより発生する打撃音を低減させることができる。
【０００７】
また、被打撃体が吸盤部材によってドラムヘッドに吸着されているので、吸盤部材を介してドラムヘッドを被打撃体と一体的に振動させることができる。これにより、打撃された被打撃体の振動をドラムヘッドへ伝達できると共に、打撃によるドラムヘッドの自由な振動が妨げられることを抑制できる。
【０００８】
さらに、被打撃体が吸盤部材による吸着力によってドラムヘッドに取着されているので、被打撃体の全体をドラムヘッドに密着させる場合と比べて、ドラムヘッドとの接触面積を抑制できる。よって、吸着部材との接触に起因してドラムヘッドの自由な振動が妨げられることを抑制できる。
【０００９】
従って、打撃音を低減させつつ、ドラムヘッドの自由な振動が妨げられることを抑制することでアコースティックドラム特有の音色を残存させることができるという効果がある。
【００１０】
請求項２記載のドラム用消音具によれば、請求項１記載のドラム用消音具の奏する効果に加え、吸盤部材が枠部の周方向に少なくとも３個以上配設されているので、被打撃体を安定させた状態でドラムヘッドに吸着させることができる。よって、打撃された被打撃体が傾いてドラムヘッドに当接することを回避できるという効果がある。
【００１１】
請求項３記載のドラム用消音具によれば、請求項１又は２に記載のドラム用消音具の奏する効果に加え、枠部が樹脂材料から構成されているので、枠部が金属材料から構成される場合と比べて、枠部の軽量化を図ることができる。これにより、被打撃体の軽量化を図ることができるので、ドラムヘッドの振動が被打撃体の重量に起因して減衰されることを抑制できる。よって、被打撃体を打撃した際にアコースティックドラム特有の音色を残存させることができるという効果がある。
【００１２】
請求項４記載のドラム用消音具によれば、請求項１から３のいずれかに記載のドラム用消音具の奏する効果に加え、打面部が網状素材から構成されているので、打面部の軽量化を図ることができるという効果がある。
【００１３】
また、打面部が網状素材から構成されているので、打面部が打撃された際の衝撃を緩衝させることができ、その結果、被打撃体への打撃により発生する打撃音を低減させることができるという効果がある。
【００１４】
請求項５記載のドラム用消音具によれば、請求項４記載のドラム用消音具の奏する効果に加え、被打撃体は、枠部を構成する樹脂材料に打面部をインサート成形することにより、打面部の周縁部分に前記枠部が固着されているので、打面部を枠部に固定するための機構を省略できる。その結果、被打撃体の軽量化を図ることができるという効果がある。
【００１５】
請求項６記載のドラム用消音具によれば、請求項５記載のドラム用消音具の奏する効果に加え、被打撃体は、打面部に張力が付与された状態で枠部に固定されているので、ビータやスティック等で打撃されて押圧された打面部の復元力を利用して、ビータやスティック等を押し返すことができる。これにより、被打撃部を打撃した際に得られる感触をドラムヘッドを打撃した際の打撃感に近似させることができるという効果がある。
【００１６】
請求項７記載のドラム用消音具によれば、請求項４から６のいずれかに記載のドラム用消音具の奏する効果に加え、弾性材料から構成されると共に打面部よりも厚さ寸法が大きな緩衝体が打面部に取り付けられているので、フットペダルに装着されたビータ等によって打面部が大きな力で打撃された場合に、被打撃体からドラムヘッドへ伝達される衝撃を低減させることができる。よって、被打撃体への打撃により発生する打撃音を低減させることができるという効果がある。
【００１７】
請求項８記載のドラム用消音具によれば、請求項１から７のいずれかに記載のドラム用消音具の奏する効果に加え、吸盤部材は、弾性部材を介して枠部に連結されているので、被打撃体からドラムヘッドへ伝達される衝撃を低減させることができる。よって、被打撃体への打撃により発生する打撃音を低減させることができるという効果がある。
【図面の簡単な説明】
【００１８】
【図１】（ａ）は、本発明の第１実施の形態におけるドラム用消音具が装着されたバスドラムの斜視図である。
【図２】（ａ）は、ドラム用消音具の上面図であり、（ｂ）は、ドラム用消音具の下面図である。
【図３】図２（ａ）のＩＩＩ−ＩＩＩ線におけるドラム用消音具の断面図である。
【図４】第２実施の形態におけるドラム用消音具が装着されたスネアドラムの斜視図である。
【図５】（ａ）は、ドラム用消音具の上面図であり、（ｂ）は、図５（ａ）のＶｂ−Ｖｂ線におけるドラム用消音具の断面図である。
【図６】（ａ）は、第３実施の形態におけるドラム用消音具の上面図であり、（ｂ）は、図６（ａ）のＶＩｂ−ＶＩｂ線におけるドラム用消音具の断面図である。
【図７】（ａ）は、ドラム用消音具の下面図であり、（ｂ）は、図７（ａ）のＶＩＩｂ部分を拡大したドラム用消音具の部分拡大図である。
【発明を実施するための形態】
【００１９】
以下、本発明の好ましい実施の形態について添付図面を参照して説明する。まず、図１を参照して、本発明の第１実施の形態におけるドラム用消音具１００の使用例について説明する。図１は、第１実施の形態におけるドラム用消音具１００が装着されたバスドラム１の斜視図である。
【００２０】
図１に示すように、バスドラム１は、打面として構成されるドラムヘッド２を備えたアコースティックの打楽器であり、フットペダル３の踏み込みに応じて回動するビータ４でドラムヘッド２を打撃することにより、バスドラム１特有の音色を鳴らすことができる。
【００２１】
ドラム用消音具１００は、ドラムヘッド２に装着して演奏時に発生する音量を低減させるための器具であり、打撃による衝撃を緩衝する被打撃体１０と、その被打撃体１０をドラムヘッド２に吸着させる吸盤部材２０とを主に備えて構成されている。
【００２２】
ドラム用消音具１００は、ドラムヘッド２に対して被打撃体１０が吸盤部材２０を介して吸着されており、演奏者によってフットペダル３が踏み込まれると、その踏み込みに伴ってビータ４が回動し、被打撃体１０が打撃される。
【００２３】
次に、図２及び図３を参照して、ドラム用消音具１００について説明する。図２（ａ）は、ドラム用消音具１００の上面図であり、図２（ｂ）は、ドラム用消音具１００の下面図である。図３は、図２（ａ）のＩＩＩ−ＩＩＩ線におけるドラム用消音具１００の断面図である。
【００２４】
図２又は図３に示すように、被打撃体１０は、演奏者により打撃される打面を構成する打面部３０と、その打面部３０の周縁部分を支持する枠部４０とを主に備えている。
【００２５】
打面部３０は、伸縮可能な網状素材から構成される膜状の部位である。打面部３０が、伸縮可能な網状素材から構成されることにより、打面部３０の軽量化を図ることができると共に、ビータ４（図１参照）に打撃された際に発生する打面部３０の衝撃を緩衝することができる。
【００２６】
さらに、打面部３０が伸縮可能な網状素材から構成されているので、打撃された際にビータ４に押圧されて変形した打面部３０の復元力を利用して、ビータ４を押し返すことができる。これにより、演奏者は、ドラムヘッド２（図１参照）を直接打撃した際に得られる打撃感に近似した感触を得ることができる。
【００２７】
ここで、被打撃体１０は、打面部３０の一面側（図２（ａ）紙面手前側）に、打面部３０よりも大きな厚さ寸法を有する緩衝体３２が取着されている。
【００２８】
緩衝体３２は、打面部３０の一面側に取着されるスポンジ状のクッション部３３と、打面部３０が取着される面と反対側（図３上側）の面においてクッション部３３に連設されると共にクッション部３３よりも硬質な硬質体３４とを備えている。
【００２９】
なお、硬質体３４に使用される素材としては、クッション部３３よりも硬質で耐摩耗性の高いものが好ましく、例えば、織布や不織布等が例示される。
【００３０】
ここで、フットペダル３の踏み込みに伴って回動するビータ４によって打面部３０が打撃されると、打面部３０には大きな衝撃が加わる。その大きな衝撃が吸盤部材２０を介してドラムヘッド２に伝達されると、ドラムヘッド２の振動により発生する音が大きくなると共に、そのドラムヘッド２の振動によって吸盤部材２０がドラムヘッド２から離脱しやすくなる。
【００３１】
これに対し、ビータ４による打撃位置と対応する位置に緩衝体３２を配置することで、ビータ４に打撃された際における打面部３０への衝撃をクッション部３３によって緩衝することができる。これにより、ドラムヘッド２の振動により発生する音を小さくできると共に、吸盤部材２０がドラムヘッド２から離脱することを防止できる。
【００３２】
また、通常、フットペダル３はバスドラム１に固定された状態で使用されるため、フットペダル３に保持されたビータ４が被打撃体１０を打撃する際の打撃位置はほぼ一定である。そのため、仮に、打面部３０に緩衝部３２が取着されていない場合では、ビータ４で打面部３０を打撃した際に、その打撃による衝撃がビータ４に打撃される打面部３０の一部分に集中するため、集中して打撃される打面部３０の一部分に位置する網状素材のみが伸びやすくなり、打面部３０の耐久性が低下する。
【００３３】
これに対し、被打撃体１０では、打面部３０に緩衝体３２が取着されているので、打面部３０に加わる衝撃を分散させることができ、その結果、打面部３０の耐久性を向上させることができる。
【００３４】
また、ドラム用消音具１００がドラムヘッド２に装着された状態では、硬質体３４がビータ４に面して配設され、演奏時には硬質体３４がビータ４に打撃される。
【００３５】
よって、緩衝体３２にビータ４が深く沈みこむことを低減できるので、クッション部３３のへたりを抑制できると共に、打面部３０による復元力を利用しやすくしてドラムヘッド２を実際に打撃した際に得られる打撃感に近似した感触を得ることができる。さらに、クッション部３３に連設された硬質体３４が打撃されることによって、クッション部３３が直接打撃されることによるクッション部３３の摩耗を防止できる。
【００３６】
また、打面部３０に緩衝体３２を取着し、その緩衝体３２の硬質体３４をビータ４で打撃することにより、その打撃による衝突を、硬質体３４に連設されるクッション部３３と、そのクッション部３３が取着される打面部３０とによって緩衝させることができる。よって、打面部３０を直接打撃する場合と比べて、打撃により発生する音（アタックノイズ）をより低減させることができる。
【００３７】
枠部４０は、樹脂材料から構成される円環状の部材である。枠部４０が樹脂材料から構成されることにより、枠部４０が金属材料から構成される場合と比べて、枠部４０の軽量化を図ることができる。
【００３８】
ここで、被打撃体１０は、枠部４０を構成する樹脂材料に張力が付与された打面部３０をインサート成形することにより、打面部３０の周縁部分に枠部４０が固着されている。
【００３９】
これにより、打面部３０を枠部４０に固定するための機構、即ち、打面３０と枠部４０とを連結する締付ボルトやその締付ボルトを螺合させるためのめねじ構造等を省略できるので、被打撃体１０の軽量化を図ることができる。
【００４０】
また、打面部３０は、張力が付与された状態で枠部４０に固定されているので、ビータ４で打撃されて押圧された打面部３０の復元力を利用して、ビータ４を押し返すことができる。これにより、被打撃体１０を打撃した際に得られる感触をドラムヘッド２を打撃した際の打撃感に近似させることができる。
【００４１】
なお、枠部４０の下面側（図２（ｂ）紙面手前側）には、ピエゾアクチュエータから構成される振動センサ６０が貼着されている。従って、ドラム用消音具１００をバスドラム１に装着することで、バスドラム１を電子ドラムとして利用することができる。
【００４２】
また、枠部４０は、その下面側（図３下面側）に後述する弾性部材５０を収納可能な凹部４１が周方向に４か所形成されている。
【００４３】
吸盤部材２０は、被打撃体１０をドラムヘッド２（図１参照）に吸着させるための吸盤であり、枠部４０に形成された凹部４１のそれぞれに吸盤部材２０が弾性部材５０を介して連結されている。
【００４４】
ここで、本実施の形態では、枠部４０に吸盤部材２０が４個配設されているが、吸盤部材２０を３個以下、又は５個以上配設してもよい。
【００４５】
なお、吸盤部材２０を３個以上とし、それら複数の吸盤部材２０を枠部４０の周方向に配置することによって被打撃体１０をドラムヘッド２に対して安定的に装着することができる。これにより、打撃された被打撃体１０が傾いてドラムヘッド２に当接することを回避できる。
【００４６】
弾性部材５０は、被打撃体１０から吸盤部材２０へ伝達される衝撃を緩衝するための部材であり、ゴム状弾性体から構成されている。枠部４０と吸盤部材２０とが弾性部材５０を介して連結されているので、ビータ４（図１参照）による打撃に伴う被打撃体１０の衝撃を緩衝できる。これにより、被打撃体１０に加わった衝撃が吸盤部材２０を介してドラムヘッド２へ伝達されることを抑制できるので、ドラムヘッド２の振動により発生する音を低減させることができると共に、吸盤部材２０がドラムヘッド２から離脱することを防止できる。
【００４７】
被打撃体１０は、吸盤部材２０を介してドラムヘッド２に吸着されているので、負圧を利用してドラム用消音具１００とドラムヘッド２とを密着させることができる。これにより、ドラム用消音具１００とドラムヘッド２との接触面積を抑制しつつ、ドラムヘッド２を被打撃体１０と一体的に振動させることができるので、打撃された被打撃体１０の振動をドラムヘッド２へ伝達できると共に、打撃によるドラムヘッド２の自由な振動が妨げられることを抑制できる。
【００４８】
さらに、被打撃体１０が吸盤部材２０による吸着力によってドラムヘッド２に取着されているので、被打撃体１０の全体をドラムヘッド２に密着させる場合と比べて、ドラムヘッド２との接触面積を抑制できる。よって、吸着部材２０との接触に起因してドラムヘッドの自由な振動が妨げられることを抑制できる。
【００４９】
また、打面部３０が網状素材から構成されると共に枠部４０が樹脂材料から構成され、それら打面部３０及び枠部４０がインサート成形により一体的に形成されることで、被打撃体１０の軽量化を図ることができる。これにより、被打撃体１０の軽量化を図ることができるので、ドラムヘッド２の振動が被打撃体１０の重量に起因して減衰されることを抑制できる。よって、ドラムヘッド２の自由な振動が妨げられることを抑制できるので、被打撃体１０を打撃した際にバスドラム１特有の音色を残存させることができる。
【００５０】
さらに、ビータ４による打撃に伴う被打撃体１０の衝撃を、打面部３０、クッション部３３及び弾性部材５０よって緩衝することができるので、吸盤部材２０を介してドラムヘッド２へ伝達される衝撃を小さくできる。これにより、ドラムヘッド２の振動により発生する音色の音量を小さくすることができる。また、被打撃体１０を打撃した際に発生する衝突音（アタックノイズ）を低減させることができるので、その衝突音によってドラムヘッド２の振動により発生する音色が打ち消されることを抑制できる。
【００５１】
このように、ドラムヘッド２の振動に伴って発生する音色の音量を抑制しつつも、打面部３０への打撃に伴う衝突音を低減させることができる。よって、バスドラム１特有の音色を引き立たせることができ、ドラムヘッド２を直接打撃した際に発生する音色に近似した音を主として発生させることができる。
【００５２】
また、被打撃体１０とドラムヘッド２とが吸盤部材２０を介して連結されているので、被打撃体１０とドラムヘッド２とが接着テープ等により接着される場合や被打撃体１０がバスドラム１に対してボルト等を用いて連結される場合と比べて、被打撃体１０の着脱作業を簡素化することができる。
【００５３】
次に、第２実施の形態について説明する。第１実施の形態では、打面部３０に緩衝体３２が取着されると共に、枠部４０と吸盤部材２０とが弾性部材５０を介して連結される場合について説明したが、第２実施の形態では、緩衝体３２が省略されると共に、枠部４０と吸盤部材２２０とが直接的に連結されている。なお、上記実施の形態と同一の部分については同一の符号を付して、その説明を省略する。
【００５４】
まず、図４を参照して、第２実施の形態におけるドラム用消音具２００の使用例について説明する。図４は、第２実施の形態におけるドラム用消音具２００が装着されたスネアドラム２０１の斜視図である。
【００５５】
図４に示すように、スネアドラム２０１は、スティック等により打撃されるアコースティックの打楽器であり、スティック等でドラムヘッド２０２を打撃することによってスネアドラム２０１特有の音色を鳴らすことができる。
【００５６】
ドラム用消音具２００は、ドラムヘッド２０２に装着して、演奏時に発生する打撃音を低減させるための器具であり、被打撃体２１０と吸盤部材２２０とを主に備えて構成されている。
【００５７】
次に、図５を参照して、ドラム用消音具２００の詳細構成について説明する。図５（ａ）は、ドラム用消音具２００の上面図であり、図５（ｂ）は、図５（ａ）のＶｂ−Ｖｂ線におけるドラム用消音具２００の断面図である。
【００５８】
図５（ａ）及び図５（ｂ）に示すように、ドラム用消音具２００は、打面部２３０と、枠部４０とを備え、それら打面部２３０と枠部４０とがインサート成形により一体的に形成されると共に、その枠部４０の凹部４１には吸盤部材２２０が直接的に連結されている。また、枠部４０の上面側（図５（ｂ）上側）には、ゴム状弾性体から構成された円環状のリム部２４２が取着されている。
【００５９】
リム部２４２は、演奏者がリムショット奏法を行う際に打撃される部位であり、リムショット奏法を行う際にリム部２４２を打撃することにより発生する音（アタックノイズ）を低減させることができる。
【００６０】
ここで、フットペダル３の踏み込みに伴って回動するビータ４によって打撃するバスドラム１に装着する第１実施の形態におけるドラム用消音具１００（図１参照）と比べて、スティック等により打撃されるスネアドラム２０１では、ドラムヘッド２０２に加わる衝撃および振動は小さくなる。そのため、被打撃体１０への衝撃を緩衝するための構成として、網状素材から構成される打面部３０に加え、クッション部３３を有する緩衝体３２や弾性部材５０を設けた第１実施の形態におけるドラム用消音具１００（図２及び図３参照）をスネアドラム２０１に装着した場合、被打撃体１０の振動が減衰されるためにドラムヘッド２０２へ十分に伝達されず、スネアドラム特有の音色をほとんど鳴らすことができなくなるおそれがある。
【００６１】
これに対し、第２実施の形態におけるドラム用消音具２００では、第１実施の形態におけるドラム用消音具１００と比べて、緩衝体３２及び弾性部材５０を省略し、被打撃体２１０に加わる衝撃を打面部３０によって減衰することで、打撃による衝撃が被打撃体２１０からドラムヘッド２０２へ伝達されることを抑制しつつ、被打撃体２１０の振動をドラムヘッド２０２へ伝達させやすくすることができる。
【００６２】
また、緩衝体３２及び弾性部材５０を省略することによって、その分、被打撃体２１０の軽量化を図ることができるので、被打撃体２１０の重量に起因してドラムヘッド２０２の振動が減衰されることを抑制できる。これにより、ドラムヘッド２０２の自由な振動が妨げられることを抑制できるので、被打撃体２１０を打撃した際にスネアドラム２０１特有の音色を残存させることができる。
【００６３】
なお、枠部４０の下面側（図５（ｂ）下側）に振動センサ６０を貼着してもよい。振動センサ６０を装着したドラム用消音具２００をスネアドラム２０１に装着することで、スネアドラム２０１を電子ドラムとして利用することができる。
【００６４】
次に、図６及び図７を参照して、第３実施の形態について説明する。第１実施および第２実施の形態では、打面部３０，２３０と枠部４０とがインサート成形により一体的に形成される場合について説明したが、第３実施の形態では、打面部３３０と枠部３４０とが別々に形成されている。なお、上記各実施の形態と同一の部分については同一の符号を付して、その説明を省略する。
【００６５】
図６（ａ）は、第３実施の形態におけるドラム用消音具３００の上面図であり、図６（ｂ）は、図６（ａ）のＶＩｂ−ＶＩｂ線におけるドラム用消音具３００の断面図である。図７（ａ）は、ドラム用消音具３００の下面図であり、図７（ｂ）は、図７（ａ）のＶＩＩｂ部分を拡大したドラム用消音具３００の部分拡大図である。なお、図７（ｂ）は、図面を簡素化してその説明をわかりやすくするため、吸盤部材３２０の一部、吸盤支持部３４０ｄの一部および孔部３４０ｅを破線で模式的に図示している。
【００６６】
図６に示すように、ドラム用消音具３００は、被打撃体３１０とその被打撃体３１０に着脱可能に連結される吸盤部材３２０とを備えている。なお、被打撃体３１０は、後述する下枠部３４０ｂが吸盤部材３２０を取り付けるための構成を有する点を除き、本願出願人が先に開発し、特許出願（特願２０１３−０８４６８２号）を行ったドラムと同様の構成を有している。
【００６７】
被打撃体３１０は、伸縮可能な網状素材から構成される膜部３３１ａ及びその膜部３３１ａの周縁部分に固定される固定部３３１ｂを有する打面部３３０と、その固定部３３１ｂを挟持する上枠部３４０ａ及び下枠部３４０ｂを有する円環状の枠部３４０と、その枠部３４０に固定部３３１ｂを固定する固定ボルト３４３と、枠部３４０に対して径方向へ変位可能に構成されると共にその径方向内側への変位によって膜部３３１ａに張力を付与する複数の接触プレート３４４と、それら複数の接触プレート３４４の外周面に配設される開ループ状のテンションリング３４５とを主に備え、上枠部３４０ａの上面側にはゴム状弾性体から構成されるリム部３４２が取着されている。
【００６８】
膜部３３１ａは、下枠部３４０ｂから突出する円筒状の打面支持部３４０ｃに張設されており、テンションリング３４５を締め付けることにより膜部３３１ａに張力が付与されるように構成されている。
【００６９】
即ち、テンションリング３４５の周方向両端部に形成された一対の結合部材３４６を連結ボルト３４７で螺合結合させると、テンションリング３４５の内径が縮まり、テンションリング３４５の内周面に押圧される接触プレート３４４が径方向内側へ変位する。このとき、打面支持部３４０ｃの上端部分（図６（ｂ）上側の端部）に載置された膜部３３１ａは、周縁部分に固定された固定部３３１ｂが枠部３４０に固定された状態で、打面支持部３４０ｃの外周側に位置する部分が、接触プレート３４４が径方向内側へ変位するのに伴って下方へ引っ張られる。これによって膜部３３１ａに張力が付与される。
【００７０】
よって、テンションリング３４５の締付量によって膜部３３１ａの張力を演奏者の好みに応じた打撃感が得られるように適宜調整することができる。
【００７１】
ここで、下枠部３４０ｂには、径方向内側へ向けて突設される吸盤支持部３４０ｄが下枠部３４０ｂの周方向等間隔に４か所形成されている。吸盤支持部３４０ｄには、下枠部３４０ｂの径方向に沿って延設される長円形状の孔部３４０ｅが穿設されており、その孔部３４０ｅに吸盤部材３２０が係止されている。
【００７２】
吸盤部材３２０は、弾性材料から構成されており、下枠部３０ｂに対して着脱可能に構成されている。吸盤部材３２０は、スネアドラム２０１のドラムヘッド２０２（図４参照）に吸着される吸盤として構成される吸着部３２１と、その吸着部３２１のドラムヘッド２０２に吸着される面とは反対側の面に連設される係止部３２２とを備えている。
【００７３】
係止部３２２は、吸盤支持部３４０ｄに係止される部位であり、円盤状に形成された対向する一対の大径部３２３と、それら一対の大径部３２３の対向面に連結されると共に大径部３２３よりも小さな外径を有する小径部３２４とを備え、それら一対の大径部３２３と小径部３２４とが同心上に形成された略Ｈ字状に形成されている。
【００７４】
吸盤部材３２０を下枠部３４０ｂに取り付ける際には、吸盤支持部３４０ｄの下側（図６（ｂ）下側）から孔部３４０ｅに対し、小径部３２４に対して吸着部３２１とは反対側に位置する一の大径部３２３を押し込み、下枠部３４０ｂの上面側へ突出させる。これにより、係止部３２２が下枠部３４０ｂに係止される。
【００７５】
ここで、一対の大径部３２３の対向間寸法は、下枠部３４０ｂの厚さ寸法（図６（ｂ）上下方向における寸法）よりもわずかに小さい寸法に設定されると共に、小径部３２４の外径が孔部３４０ｅの幅寸法（図７（ｂ）上下方向における寸法）よりもわずかに大きい寸法に設定されている。
【００７６】
従って、弾性変形された一対の大径部３２３によって吸盤支持部３４０ｄを挟持できるので、係止部３２２を吸盤支持部３４０ｄに確実に固定させることができる。さらに、小径部３２４を弾性変形させた状態で孔部３４０ｅの内周面に保持させることができるので、係止部３２２を吸盤支持部３４０ｄに確実に固定させることができる。
【００７７】
また、孔部３４０ｅが下枠部３４０ｂにおける径方向を長手方向とする長円形状に形成されているので、枠部３４０の径方向における吸盤部材３２０の係止位置を調整することができる。
【００７８】
ここで、膜部３３１ａは、打面支持部３４０ｃの上端面に張設されており、その打面支持部３４０ｃの上端部分に近接した位置と膜部３３１ａの中央部分とでは振動しやすさが異なる。そのため、ドラムヘッド２０２（図４参照）の径方向における吸盤部材３２０の吸着位置を調整することによって、被打撃体３１０を打撃した際に吸盤部材３２０からドラムヘッド２０２に振動が伝わる位置が変わり、ドラムヘッド２０２の振動に伴って発生するスネアドラム２０１（図４参照）の音色を変えることができる。
【００７９】
なお、枠部４０の下面側（図６（ｂ）下側）に振動センサ６０を貼着してもよい。振動センサ６０を装着したドラム用消音具３００をスネアドラム２０１に装着することで、スネアドラム２０１を電子ドラムとして利用することができる。
【００８０】
以上、実施の形態に基づき本発明を説明したが、本発明は上記各実施の形態に何ら限定されるものではなく、本発明の趣旨を逸脱しない範囲内で種々の改良変形が可能であることは容易に推察できるものである。
【００８１】
例えば、上記各実施の形態では、第１実施の形態におけるドラム用消音具１００をバスドラム１に、第２実施および第３実施の形態におけるドラム用消音具２００，３００をスネアドラム２０１に使用する場合について説明したが、必ずしもこれに限られるものではなく、第１実施の形態におけるドラム用消音具１００をバスドラム１以外のドラムに、第２実施および第３実施の形態におけるドラム用消音具２００，３００をスネアドラム２０１以外のドラムに使用してもよい。
【００８２】
上記第１実施および第２実施の形態では、被打撃体１０，２１０が、網状素材から構成される打面部３０の周縁部分に枠部４０が固定される場合について説明したが、必ずしもこれに限られるものではなく、打面部を網状素材以外の部材、例えば、フィルム状、スポンジ状またはゴム状の部材から構成し、その打面部の周縁部分に枠部４０が固定されていてもよい。
【００８３】
上記各実施の形態では、枠部４０，３４０が樹脂材料から構成される場合について説明したが、必ずしもこれに限られるものではなく、枠部を樹脂材料以外、例えば、金属材料から構成してもよい。
【符号の説明】
【００８４】
１                              バスドラム（アコースティックドラム）
２０１                          スネアドラム（アコースティックドラム）
２，２０２                      ドラムヘッド
１００，２００，３００          ドラム用消音具
１０，２１０，３１０            被打撃体
２０，２２０，３２０            吸盤部材
３０，３３０                    打面部
３２                            緩衝体
４０，３４０                    枠部
５０                            弾性部材
【図１】
2015068851.tif 000003
【図２】
2015068851.tif 000004
【図３】
2015068851.tif 000005
【図４】
2015068851.tif 000006
【図５】
2015068851.tif 000007
【図６】
2015068851.tif 000008
【図７】
2015068851.tif 000009